(57)【要約】【課題】入力端子と橋絡容量の接続にワイヤーボンディングを使用した場合、別途ワイヤーボンディングの工数が必要であり、更にワイヤー外れ又はワイヤー切れの発生を０にはできず、外れ又は切れたワイヤーによる共振子を構成する電極とのショートの可能性があり、不良品の発生要因の一つと考えられている。【解決方法】第１段目弾性表面波共振子の接続用ＩＤＴと、第２段目の弾性表面波共振子の接続用ＩＤＴとを、第１の配線パターンで電気的に接続し、更に入力端子と第１の配線パターンとの間に橋絡容量及び第１の配線パターンと接地間に段間容量を接続した構成の弾性表面波フィルタおいて、入力端子と第１段目の弾性表面波共振子の反射器の一方のバスバーとを第２の配線パターンで電気的に接続し、且つこの反射器の他方のバスバーと橋絡容量とを第３の配線パターンにより電気的に接続していることを特徴とする弾性表面波フィルタ。【選択図】図１
2004214808.tif 000002
【特許請求の範囲】
【請求項１】
入力端子に接続した入力用インターデジタルトランスデューサと第１の接続用インターデジタルトランスデューサとを弾性表面波の進行方向に沿って近接配置し、その両側に反射器を配置した第１段目の弾性表面波共振子と、出力端子に接続した出力用インターデジタルトランスデューサと第２の接続用インターデジタルトランスデューサとを弾性表面波の進行方向に沿って近接配置し、その両側に反射器を配置した第２段目の弾性表面波共振子とを有し、
該第１の接続用インターデジタルトランスデューサと該第２の接続用インターデジタルトランスデューサとを第１の配線パターンで電気的に接続し、更に該入力端子と該第１の配線パターンとの間に橋絡容量、及び該第１の配線パターンと接地間に段間容量を接続した構成の弾性表面波フィルタおいて、
該入力端子と該第１段目の弾性表面波共振子の該反射器の一方のバスバーとを第２の配線パターンで電気的に接続し、且つ該反射器の他方のバスバーと該橋絡容量とを第３の配線パターンにより電気的に接続していることを特徴とする弾性表面波フィルタ。
【請求項２】
入力端子に接続した入力用インターデジタルトランスデューサと第１の接続用インターデジタルトランスデューサとを弾性表面波の進行方向に沿って近接配置し、その両側に反射器を配置した第１段目の弾性表面波共振子と、出力端子に接続した出力用インターデジタルトランスデューサと第２の接続用インターデジタルトランスデューサとを弾性表面波の進行方向に沿って近接配置し、その両側に反射器を配置した第２段目の弾性表面波共振子とを有し、
該第１の接続用インターデジタルトランスデューサと該第２の接続用インターデジタルトランスデューサとを第１の配線パターンで電気的に接続し、更に該入力端子と該第１の配線パターンとの間に橋絡容量、及び該第１の配線パターンと接地間に段間容量を接続した構成の弾性表面波フィルタおいて、
該第１段目の弾性表面波共振子の該反射器の弾性表面波の進行方向の外側に、該入力端子と該橋絡容量とを電気的に接続する第４の配線パターンを形成し、且つ該第４の配線パターンの一部を、該反射器からの弾性表面波を反射する形状にしたことを特徴とする弾性表面波フィルタ。
【発明の詳細な説明】
【０００１】
【発明の属する技術分野】本発明は、弾性表面波フィルタに関し、特に小型化に適し且つ信頼性が高い弾性表面波フィルタに関する。
【０００２】
【従来の技術】現在、電気機器内に組み込まれる電子部品については、小型化が求められており、今では０．１ｍｍ単位での小型化が進んでいる。
【０００３】
電子部品の一つである弾性表面波フィルタを、縦結合２重モード弾性表面波フィルタを例示して説明する。図３乃至４は従来の縦結合２重モード弾性表面波フィルタである。尚両図において同じ番号のものは同じ構成部位を示すものである。
【０００４】
入力端子３０１に接続した入力用のインターデジタルトランスデューサ（以下ＩＤＴという）３０２と第１の接続用ＩＤＴ３０３とを弾性表面波の進行方向に沿って近接配置し、その両側に反射器３０４及び３０５を配置した第１段目の弾性表面波共振子３００と、出力端子３１１に接続した出力用ＩＤＴ３１２と第２の接続用ＩＤＴ３１３とを弾性表面波の進行方向に沿って近接配置し、その両側に反射器３１４及び３１５を配置した第２段目の弾性表面波共振子３１０とを有し、第１の接続用ＩＤＴ３０３と第２の接続用ＩＤＴ３１３とを、第１の配線パターン３２１で電気的に接続し、更に入力端子３０１と第１の配線パターン３２１との間に橋絡容量３３１、及び第１の配線パターン３２１と接地間に段間容量３３２を接続した構成である。
【０００５】
橋絡容量３３１は、通過帯域近傍の減衰量を良好にするために接続されるものであり、又、段間容量３３２は通過帯域幅を調整するために接続されるものである。
【０００６】
従来では、入力端子３０１と橋絡容量３３１との電気的接続には、図３のように入力端子３０１を形成する電極パッドと橋絡容量に接続する電極パッド間を、金などの金属によるワイヤーボンディングにより反射器３０５の上を短絡して接続していたり、又は図４のように、反射器３０５の外側を迂回するように配線パターンを引き回して入力端子３０１と橋絡容量３３１とを電気的に接続した構造の弾性表面波フィルタが使用されていた。
【０００７】
前記の弾性表面波フィルタについては、以下のような文献が開示されている。
【０００８】
【特許文献１】
特開平９−１１６３８１号公報
【特許文献２】
特開平９−１７２３４２号公報
【０００９】
尚、出願人は前記した先行技術文献情報で特定される先行技術文献以外には、本発明に関連する先行技術文献を、本件出願時までに発見するに至らなかった。
【００１０】
【発明が解決しようとする課題】従来の弾性表面波フィルタのうち、図３のように入力端子と橋絡容量の接続にワイヤーボンディングを使用した場合、別途ワイヤーボンディングの工数が必要であり、更にワイヤー外れ又はワイヤー切れの発生を０にはできず、外れ又は切れたワイヤーによる共振子を構成する電極とのショートの可能性があり、不良品の発生要因の一つと考えられている。
【００１１】
又、図４のように反射器の外側を迂回するように配線パターンを引き回して入力端子と橋絡容量とを電気的に接続した構造では、引き回しのスペースが必要であり、小型化を達成するうえでの大きな問題点となっている。
【００１２】
【課題を解決するための手段】本発明は前記課題を解決するもので、入力端子に接続した入力用ＩＤＴと第１の接続用ＩＤＴとを、弾性表面波の進行方向に沿って近接配置し、その両側に反射器を配置した第１段目の弾性表面波共振子と、出力端子に接続した出力用ＩＤＴと第２の接続用ＩＤＴとを弾性表面波の進行方向に沿って近接配置し、その両側に反射器を配置した第２段目の弾性表面波共振子とを有し、第１の接続用ＩＤＴと第２の接続用ＩＤＴとを第１の配線パターンで電気的に接続し、更に入力端子と第１の配線パターンとの間に橋絡容量及び第１の配線パターンと接地間に段間容量を接続した構成の弾性表面波フィルタおいて、該入力端子と該第１段弾性表面波共振子の反射器の一方のバスバーとを第２の配線パターンで電気的に接続し、且つ該反射器の他方のバスバーと橋絡容量とを第３の配線パターンにより電気的に接続していることを特徴とする弾性表面波フィルタである。
【００１３】
又、入力端子に接続した入力用インターデジタルトランスデューサと第１の接続用インターデジタルトランスデューサとを弾性表面波の進行方向に沿って近接配置し、その両側に反射器を配置した第１段目の弾性表面波共振子と、出力端子に接続した出力用インターデジタルトランスデューサと第２の接続用インターデジタルトランスデューサとを弾性表面波の進行方向に沿って近接配置し、その両側に反射器を配置した第２段目の弾性表面波共振子とを有し、該第１の接続用インターデジタルトランスデューサと該第２の接続用インターデジタルトランスデューサとを第１の配線パターンで電気的に接続し、更に入力端子と第１の配線パターンとの間に橋絡容量、及び第１の配線パターンと接地間に段間容量を接続した構成の弾性表面波フィルタおいて、第１段目の弾性表面波共振子の反射器の弾性表面波の進行方向の外側に、入力端子と橋絡容量とを電気的に接続する第４の配線パターンを形成し、且つ第４の配線パターンの一部を、反射器からの弾性表面波を反射する形状にしたことを特徴とする弾性表面波フィルタでもある。
【００１４】
尚、上記形状の弾性表面波フィルタは、ワイヤーボンディングを用いず、且つ配線を引き回すスペースを設けずに、入力端子と橋絡容量を電気的に接続でき、更に弾性表面波フィルタとしての諸特性には変化を生じさせない作用を成す。
【００１５】
【発明の実施の形態】以下に、添付図面に従って本発明の実施例を説明する。図１は、本発明の一実施例である縦結合２重モード弾性表面波フィルタの構成図である。図２は本発明の他の実施例である縦結合２重モード弾性表面波フィルタの構成図である。尚、各図において、同番号は同じ構成物を示すものであり、図及び説明を明りょうにするため構成物の一部を図示していない。又、寸法も一部誇張して図示している。
【００１６】
本実施例では、圧電素板１５０の表面に縦結合２重モード弾性表面波フィルタを構成する各電極等が形成されている。即ち、入力端子１０２に接続した入力用ＩＤＴ１０３と第１の接続用ＩＤＴ１０４とを、弾性表面波の進行方向に沿って近接配置し、その両側に反射器１０５及び１０６を配置した第１段目の弾性表面波共振子１０１が形成されている。
【００１７】
その第１段目の弾性表面波共振子１０１の縦方向に併設するように、出力端子１１２に接続した出力用ＩＤＴ１１３と第２の接続用ＩＤＴ１１４とを弾性表面波の進行方向に沿って近接配置し、その両側に反射器１１５及び１１６を配置した第２段目の弾性表面波共振子１１１が形成されている。
【００１８】
第１の接続用ＩＤＴ１０４と第２の接続用ＩＤＴ１１４とを、第１の配線パターン１２１で電気的に接続し、第１段目の弾性表面波共振子１０１と第２段目の弾性表面波共振子が縦続接続している。更に第１の配線パターン１２１と接地間に、通過帯域幅を調整するために段間容量１２６を櫛歯電極で形成している。
【００１９】
入力端子１０２と第１段目の弾性表面波共振子を構成する反射器１０６の一方のバスバー１０７とを、第２の配線パターン１２２で電気的に接続している。又、反射器１０６の他方のバスバー１０８と、通過帯域近傍の減衰量を良好にするために設けた橋絡容量１２４を構成する互いの電極指が間挿し合う一対のうち一方の櫛歯電極とを、第３の配線パターン１２５により電気的に接続している。又橋絡容量１２４の他方の櫛歯電極は第１の配線パターン１２１に接続されている。即ち、入力端子１０２は反射器１０６及び橋絡容量１２４を介して第１の配線パターン１２１と電気的に接続していることとなる。
【００２０】
このような構成の縦結合２重モード弾性表面波フィルタにすることにより、入力端子１０２と橋絡容量との間の配線パターンを、他の電極等を形成する工程と同時に形成できるので、ワイヤーボンディングを行う工程を省くことができる。更にワイヤーボンディングを一部の配線に使用しないので、ワイヤー外れ又はワイヤー切れ等に起因する不良品の発生確率を小さくすることができる。又、反射器を配線の一部として用いることにより、配線を引き回すことがなくなり、配線を形成するスペースをより小さくすることができる。尚、反射器を配線の一部として使用しても、弾性表面波フィルタとしての諸特性に問題が生じないことは、本実施例における各種測定により確認されている。
【００２１】
又、他の実施例として、図２のように反射器１０６を電極本数を減らして形成し、電極本数を減らしたことで開いたスペースに、入力端子１０２と橋絡容量１２４を電気的に接続する第４の配線パターン１２７を形成する。その第４の配線パターン１２７における反射器１０６の最外電極に相対する部分の形状を、反射器１０６から伝わった弾性表面波を反射する形状にする。このような形状にすることで、電極本数を減らしたことによる反射器１０６の反射能力の低下分を、第４の配線パターン上に形成した、反射機能を有する形状部分による弾性表面波の反射で補うことができる。
【００２２】
本実施例では、弾性表面波共振子を２段で使用した弾性表面波フィルタを開示したが、もちろん３段以上の多段の弾性表面波フィルタにおいても、反射器を配線の一部として使用し、入力端子と２段目以降に設けた橋絡容量を電気的に接続することもできる。
【００２３】
又、本実施例では、２段の縦接合の場合を例示したために、入力端子と橋絡容量の接続にのみに本発明の構成を用いているものを開示したが、３段以上の多段接続弾性表面波フィルタにおいては、形成する各共振子間に形成する複数の段間容量間を電気的に接続するためも、本発明である反射器を接続配線パターンの一部として用いる構成を使用することができる。本発明を用いることで、多段に弾性表面波共振子を接続した弾性表面波フィルタにおいては、橋絡容量のほかに、更に段間容量を接続するワイヤーボンディングのワイヤー本数及び工数を減らすことができ、より小型化、低価格化及び信頼性の高い多段の弾性表面波フィルタをも形成できる。
【００２４】
【発明の効果】本発明によって、ワイヤーボンディングの工程を省くことができ、更に配線パターン引き回しのスペースを設ける必要のないことから、信頼性の高く且つ小型化及び低価格化に優れた弾性表面波フィルタを得ることができるという効果を奏する。
【図面の簡単な説明】
【図１】図１は、本発明の一実施例における、弾性表面波フィルタの構成図を示す。
【図２】図２は、本発明の他の実施例における、弾性表面波フィルタの構成図である。
【図３】図３は、従来の弾性表面波フィルタの構成図である。
【図４】図４は、従来の弾性表面波フィルタの構成図である。
【符号の説明】
１０１，第１段目の弾性表面波共振子
１０２，入力端子
１０３，入力用ＩＤＴ
１０４，第１の接続用ＩＤＴ
１０５，反射器
１０６，反射器
１０７，バスバー
１０８，バスバー
１１１，第２段目の弾性表面波共振子
１１２，出力端子
１１３，出力用ＩＤＴ
１１４，第２の接続用ＩＤＴ
１１５，反射器
１１６，反射器
１２１，第１の配線パターン
１２２，第２の配線パターン
１２４，橋絡容量
１２５，第３の配線パターン
１２６，段間容量
１２７，第４の配線パターン
【図１】
2004214808.tif 000003
【図２】
2004214808.tif 000004
【図３】
2004214808.tif 000005
【図４】
2004214808.tif 000006